(57)【要約】【課題】アウターハウジングに対し、シールド端子が十分な係止保持力で保持されるようにした高周波用コネクタを提供する。【解決手段】板金で構成されたシールド端子５０を備え、シールド端子５０が絶縁性のアウターハウジング３０に収容保持されている高周波用コネクタにおいて、シールド端子５０はインナーハウジング６０を介して信号端子７０を囲む筒状部５１と、筒状部５１の側面の外側に突出して位置し、アウターハウジング３０に形成されているランス３４に係止される延長片５７とを備えているものとする。【選択図】図２
2019106278.tif 000002
【特許請求の範囲】
【請求項１】
板金で構成されたシールド端子を備え、前記シールド端子が絶縁性のアウターハウジングに収容保持されている高周波用コネクタであって、
前記シールド端子はインナーハウジングを介して信号端子を囲む筒状部と、前記筒状部の側面の外側に突出して位置し、前記アウターハウジングに形成されているランスに係止される延長片とを備えていることを特徴とする高周波用コネクタ。
【請求項２】
請求項１に記載の高周波用コネクタにおいて、
前記筒状部と前記延長片は前記板金の折り曲げ加工によって一体形成されていることを特徴とする高周波用コネクタ。
【請求項３】
請求項１又は２に記載の高周波用コネクタにおいて、
前記シールド端子は前記筒状部の側面の一部が欠除されてなる開口部を有し、
前記開口部は前記筒状部と前記インナーハウジングとの間に介在された内部シェルによって塞がれていることを特徴とする高周波用コネクタ。
【発明の詳細な説明】
【技術分野】
【０００１】
この発明は同軸ケーブルやシールドツイストペア線のケーブルの端末に取り付けられる高周波用コネクタに関する。
【背景技術】
【０００２】
図１８〜２１はこの種のコネクタの従来例として特許文献１に記載されている、電気接続子と電気接続子を収容保持するアウターハウジングを備えてなるコネクタ（シールドコネクタ）の構成を示したものである。
【０００３】
電気接続子１１は図１８に示したように、この例ではシールドツイストペア電線２０の端末部分に接続されるものとなっており、内導体端子１２、インナーハウジング１３及びシールドシェル１４によって構成されている。
【０００４】
シールドシェル１４はシールドケース１５と、シールドケース１５に組み付けられるシールドカバー１６とから構成されており、シールドツイストペア電線２０のシールド導体２１に接続され、内導体端子１２を覆って電磁的にシールドするものとなっている。
【０００５】
シールドケース１５は導電性板材の折り曲げ加工により成形されており、本体部１５ａと接続片１５ｂを備えている。本体部１５ａの後方上面には開口部１５ｃが形成されており、この開口部１５ｃを塞ぐようにシールドカバー１６にはカバー部１６ａが設けられている。シールドカバー１６はシールドケース１５と同じく、導電性板材の折り曲げ加工により成形されている。
【０００６】
シールドケース１５には外側に突出した一対の突部１５ｄが形成されており、これら突部１５ｄがシールドカバー１６の一対の折り曲げ片１６ｂに開口形成された係合孔１６ｃに係合されることにより、シールドカバー１６はシールドケース１５から容易に外れないようにされている。
【０００７】
シールドケース１５の接続片１５ｂにはシールドツイストペア電線２０のシールド導体２１が被されて、その上からシールドカバー１６のシールド導体圧着片１６ｄとシース圧着片１６ｅがカシメ加工されるものとなっている。これにより、シールドシェル１４とシールド導体２１は電気的に接続される。
【０００８】
シールドシェル１４にはアウターハウジングに収容保持される際に用いられる被係止部１７が設けられている。被係止部１７はシールドケース１５の本体部１５ａの底面に叩き出し加工により突出されている。図１９はこの被係止部１７をシールドケース１５の下側から見て示したものである。
【０００９】
アウターハウジング１８は絶縁性を有する樹脂材料により略角筒状に成形されている。アウターハウジング１８の前方には図２０に示したように嵌合される相手方のシールドコネクタのアウターハウジングを収容可能なフード部１８ａが設けられており、フード部１８ａから後方に向かって接続子収容部１８ｂが設けられている。接続子収容部１８ｂの内側空間に形成されたシェル収容室１８ｃには電気接続子１１が備えるシールドシェル１４が収容可能とされており、シールドシェル１４はシェル収容室１８ｃの後方から挿入されて収容される。
【００１０】
シェル収容室１８ｃの上面には開口部１８ｄが形成されており、電線保持板１８ｅが開口部１８ｄを塞ぐことができるようになっている。また、シェル収容室１８ｃの底壁には高さ方向に撓み変形すると共に一旦撓み変形した後に復帰してシールドシェル１４に設けられている被係止部１７を係止するランス１９が設けられている。
【００１１】
電気接続子１１は図２０に示したようにアウターハウジング１８の後方から挿入され、シールドシェル１４の被係止部１７が図２１に示したようにランス１９の係止部１９ａを乗り越えることで被係止部１７が係止部１９ａに係止されて抜け止めされる。そして、アウターハウジング１８の電線保持板１８ｅを折り曲げて開口部１８ｄを閉塞することで、アウターハウジング１８に電気接続子１１が収容保持されることになる。
【先行技術文献】
【特許文献】
【００１２】
【特許文献１】特開２００９−２６６４９８号公報
【発明の概要】
【発明が解決しようとする課題】
【００１３】
上述したように、電気接続子１１と、電気接続子１１を収容保持するアウターハウジング１８とを備えてなる従来のコネクタは、電気接続子１１のシールドシェル１４に設けられた被係止部１７がアウターハウジング１８に設けられたランス１９に突出形成されている係止部１９ａに係止されて抜け止めされることによって電気接続子１１がアウターハウジング１８に収容保持され、つまりコネクタが完成するものとなっている。
【００１４】
しかるに、被係止部１７はシールドシェル１４を構成する板材よりなるシールドケース１５に叩き出し加工によって形成されているため、例えばコネクタを小型化した場合には加工がしづらいといった問題があり、また十分な突出高さが得にくくなるため、シールドシェル１４がアウターハウジング１８に保持されるための十分な係止保持力が得られなくなるといった問題がある。
【００１５】
この発明の目的はこのような問題に鑑み、板金で構成されたシールド端子を備え、シールド端子が絶縁性のアウターハウジングに収容保持されている高周波用コネクタにおいて、コネクタを小型化してもシールド端子がアウターハウジングに十分な係止保持力で保持されるようにした高周波用コネクタを提供することにある。
【課題を解決するための手段】
【００１６】
請求項１の発明によれば、板金で構成されたシールド端子を備え、シールド端子が絶縁性のアウターハウジングに収容保持されている高周波用コネクタにおいて、シールド端子はインナーハウジングを介して信号端子を囲む筒状部と、筒状部の側面の外側に突出して位置し、アウターハウジングに形成されているランスに係止される延長片とを備えているものとされる。
【００１７】
請求項２の発明では請求項１の発明において、筒状部と延長片は板金の折り曲げ加工によって一体形成されているものとされる。
【００１８】
請求項３の発明では請求項１又は２の発明において、シールド端子は筒状部の側面の一部が欠除されてなる開口部を有し、開口部は筒状部とインナーハウジングとの間に介在された内部シェルによって塞がれているものとされる。
【発明の効果】
【００１９】
この発明によれば、板金よりなるシールド端子の筒状部の側面の外側に突出して位置させた延長片がアウターハウジングのランスに係止されるものとなっており、延長片は容易に所望の突出高さ、大きさを有するものとすることができるため、十分な係止保持力を得ることができ、よって例えば高周波用コネクタを小型化しても十分な係止保持力でシールド端子をアウターハウジングに保持させることができる。
【図面の簡単な説明】
【００２０】
【図１】この発明による高周波用コネクタの一実施例を示す斜視図。
【図２】図１に示した高周波用コネクタの断面図。
【図３】Ａは図１におけるアウターハウジングの平面図、Ｂはその正面図、Ｃはその底面図、Ｄはその左側面図、Ｅはその右側面図。
【図４】図１における電気接続子の斜視図。
【図５】図４に示した電気接続子の断面図。
【図６】図４に示した電気接続子を各部に分解して示した斜視図。
【図７】Ａは図６におけるシールド端子の平面図、Ｂはその正面図、Ｃはその右側面図、Ｄはその斜視図。
【図８】図７に示したシールド端子の、インナーハウジングが組み込まれた後の状態の形状を示す斜視図。
【図９】図７に示したシールド端子を展開した図。
【図１０】この発明による高周波用コネクタの他の実施例を示す斜視図。
【図１１】図１０に示した高周波用コネクタの断面図。
【図１２】Ａは図１０におけるアウターハウジングの平面図、Ｂはその正面図、Ｃはその底面図、Ｄはその右側面図。
【図１３】図１０における電気接続子の斜視図。
【図１４】図１３に示した電気接続子の断面図。
【図１５】図１３に示した電気接続子を各部に分解して示した斜視図。
【図１６】Ａは図１５におけるシールド端子の平面図、Ｂはその正面図、Ｃはその右側面図、Ｄはその斜視図。
【図１７】図１６に示したシールド端子を展開した図。
【図１８】従来のコネクタが備える電気接続子の分解斜視図。
【図１９】図１８におけるシールドシェルに設けられた被係止部を示す拡大斜視図。
【図２０】従来のコネクタにおけるアウターハウジングに電気接続子が収容される前の状態を示す断面図。
【図２１】従来のコネクタにおけるアウターハウジングに電気接続子が収容された後の状態を示す断面図。
【発明を実施するための形態】
【００２１】
この発明の実施形態を図面を参照して実施例により説明する。
【００２２】
図１はこの発明による高周波用コネクタの一実施例の外観を示したものであり、図２はその断面構造を示したものである。高周波用コネクタ１００はこの例では同軸ケーブルの端末に取り付けられるものとされ、アウターハウジング３０とアウターハウジング３０内に収容された電気接続子４０とによって構成されている。図１，２中、２００は同軸ケーブルを示す。
【００２３】
図３はアウターハウジング３０の詳細を示したものであり、図４及び５は電気接続子４０の外観及び断面構造をそれぞれ示したものである。また、図６は電気接続子４０を各部に分解して示したものである。なお、図６では同軸ケーブル２００は中心導体２０１が露出され、また露出された外部導体２０２がシース２０３上に折り返された状態として示している。図６中、２０４は絶縁体を示す。
【００２４】
まず、初めに電気接続子４０の構成について説明する。
【００２５】
電気接続子４０は図６に示したように、シールド端子５０とインナーハウジング６０と信号端子７０とスリーブ８０とによって構成されている。シールド端子５０は導体の板金の折り曲げ加工によって形成されており、図７及び８にその詳細を示す。なお、図６及び７はインナーハウジング６０が組み込まれる前の状態のシールド端子５０の形状を示し、図８はインナーハウジング６０が組み込まれた後の状態のシールド端子５０の形状を示す。
【００２６】
シールド端子５０は角筒状をなし、インナーハウジング６０を介して信号端子７０を囲む筒状部５１を有し、筒状部５１の一端（前端）には４つの接触片５２が筒状部５１を構成する上壁５１ａ、底壁５１ｂ及び一対の側壁５１ｃからそれぞれ突出延長されて形成されている。上壁５１ａはこの例では前板部５１ｄと後板部５１ｅに分かれており、図６及び７では後板部５１ｅが折り曲げ加工される前の状態となっている。一対の側壁５１ｃの前端側には互いに内向きに切り起こされて係止片５１ｆがそれぞれ形成されている。
【００２７】
筒状部５１の他端（後端）には同軸ケーブル２００との接続用の接続片５３が形成されている。接続片５３は筒状部５１の底壁５１ｂ及び一対の側壁５１ｃの一部にまたがって、それらから延長形成された延長部５４の先に形成されている。接続片５３はＵ字の断面形状を有する。さらに、上壁５１ａの後板部５１ｅの後端には突出片５５が突出延長されて形成され、一対の側壁５１ｃの各後端には突出片５６がそれぞれ突出延長されて形成されている。これら突出片５５，５６は先端が筒状部５１の中心軸に近づく方向にわずかに折り曲げられている。
【００２８】
一方、筒状部５１の一対の側壁５１ｃの一方の上端からは延長片５７が延長形成されており、延長片５７は上方に延長された後、折り曲げられて上壁５１ａの前板部５１ｄ上を横断し、先端は下方に折り曲げられて他方の側壁５１ｃの上端に形成されている切欠き５１ｇ（後述する図９参照）内に収容位置されている。延長片５７は幅狭とされ、前板部５１ｄの後端側部分上を横断する幅とされている。なお、延長片５７の、前板部５１ｄ上に位置し、前板部５１ｄの板面と平行な横断部５７ａの前端側（接触片５２が位置する側）には前板部５１ｄの板面に近づくように傾斜された傾斜片５８が突出延長されて形成されている。
【００２９】
図９は上記のような構成を有するシールド端子５０の展開形状を示したものであり、このような形状の板金を折り曲げ加工することによってシールド端子５０が形成される。なお、図９において、図７及び８と対応する部分には同一符号を付してある。
【００３０】
インナーハウジング６０は信号端子７０を収容し、信号端子７０とシールド端子５０とを絶縁するもので、絶縁樹脂製とされる。インナーハウジング６０はブロック状をなす本体部６１と本体部６１から前方に突出された円柱部６２とよりなり、これら本体部６１及び円柱部６２を貫通して信号端子７０を収容する収容孔６３が形成されている。なお、本体部６１の両側面の前端には凹部６１ａがそれぞれ設けられている。
【００３１】
電気接続子４０の組立ては以下の手順で行われる。
【００３２】
（１）同軸ケーブル２００をスリーブ８０に通し、スリーブ８０を同軸ケーブル２００の周りに配置しておく。
【００３３】
（２）同軸ケーブル２００の端末を処理し、中心導体２０１と外部導体２０２を露出させる。
【００３４】
（３）信号端子７０に中心導体２０１を接続する。接続は信号端子７０のかしめ部７１をかしめて中心導体２０１をかしめ止めすることによって行う。
【００３５】
（４）スリーブ８０を同軸ケーブル２００のシース２０３の先端側に位置させ、外部導体２０２をスリーブ８０を覆うように折り返してスリーブ８０の周りに位置させる。
【００３６】
（５）インナーハウジング６０の収容孔６３に信号端子７０を挿入して収容する。信号端子７０は抜け止め部７２がインナーハウジング６０内の係止対象に引っ掛かってインナーハウジング６０から抜け止めされる。
【００３７】
（６）インナーハウジング６０をシールド端子５０に収容する。シールド端子５０へのインナーハウジング６０の収容は上壁５１ａの後板部５１ｅが折り曲げられる前の、前板部５１ｄの後方に開口している開口部５１ｈを通してインナーハウジング６０をシールド端子５０内に挿入することによって行う。挿入されたインナーハウジング６０は凹部６１ａの側面がシールド端子５０の係止片５１ｆに突き当たることで、突き抜けが防止され、挿入方向の位置決めがなされる。
【００３８】
（７）シールド端子５０の後板部５１ｅを折り曲げる。これによりシールド端子５０は図８に示した形状となる。後板部５１ｅはインナーハウジング６０の本体部６１の上面に形成されている１段低い段部６１ｂに図５に示したように位置し、これによりインナーハウジング６０は抜け止めされる。
【００３９】
（８）最後に、接続片５３をかしめ、スリーブ８０の周りに位置する同軸ケーブル２００の外部導体２０２を包み込むように外部導体２０２に密着させる。これにより、外部導体２０２とシールド端子５０が電気的に接続される。
【００４０】
以上により、図４及び５に示した電気接続子４０が完成する。
【００４１】
次に、電気接続子４０を収容保持するアウターハウジング３０の構成について説明する。
【００４２】
アウターハウジング３０は絶縁樹脂製とされ、図３に示したように、ブロック状をなす基部３１と、相手方コネクタ（レセプタクル）に挿入、嵌合される嵌合部３２とよりなり、これら基部３１及び嵌合部３２を前後方向に貫通して電気接続子４０を収容する収容室３３が図２に示したように形成されている。電気接続子４０は収容室３３の後端側開口３３ａから挿入され、相手方コネクタの電気接続子は収容室３３の前端側開口３３ｂから挿入される。
【００４３】
嵌合部３２における収容室３３の内部底面には片持ち梁状をなすランス３４が形成されており、前端側開口３３ｂに向くランス３４の先端には段部３４ａが形成されている。
【００４４】
一方、基部３１の嵌合部３２寄りの底面にはほぼ幅方向全体に渡る大きさの取り付け窓３５が収容室３３と連通して形成されており、この例ではこの取り付け窓３５にアウターハウジング３０とは別部品の絶縁樹脂製のリテーナ９０が取り付けられるものとなっている。なお図３ではリテーナ９０が取り付けられた状態として示している。
【００４５】
上記のような構成を有するアウターハウジング３０への電気接続子４０の収容はリテーナ９０を取り外した状態で電気接続子４０をアウターハウジング３０の収容室３３に後端側開口３３ａから挿入することによって行う。シールド端子５０の延長片５７はシールド端子５０の筒状部５１の側面の外側に突出して位置しているが、その前方に傾斜片５８が設けられているため、アウターハウジング３０のランス３４に引っ掛かることなく、ランス３４を良好に押し下げてランス３４の前方に至り、図２に示したようにランス３４の段部３４ａに係合する。これにより、シールド端子５０はランス３４に係止されて抜け止めされ、即ち電気接続子４０はアウターハウジング３０に収容保持される。
【００４６】
さらに、この例ではリテーナ９０をアウターハウジング３０の取り付け窓３５に押し込んで取り付ける。リテーナ９０の、収容室３３に臨む端面には図３Ｅに示したように一対の突起９１が形成されており、これら突起９１がシールド端子５０における突出片５５と一対の突出片５６との各間に形成されている隙間５９（図４参照）に入り込む。これにより、この例ではシールド端子５０はランス３４による抜け止めに加え、さらにリテーナ９０によって抜け止めされるものとなっている。
【００４７】
以上、図１及び２に示した高周波用コネクタ１００の構成及び組立てについて説明したが、この例ではアウターハウジング３０に対するシールド端子５０の抜け止めは、アウターハウジング３０のランス３４にシールド端子５０の延長片５７が係止される１次係止と、リテーナ９０による２次係止の双方によって行われるものとなっている。
【００４８】
１次係止においてランス３４に対する被係止部として用いられる延長片５７はシールド端子５０の筒状部５１と一体形成されて筒状部５１から延長されて形成されているものであって、従来のような叩き出し加工による被係止部と違い、所望の突出高さ、大きさを容易に得ることができるため、例えば高周波用コネクタ１００を小型化しても十分な係止保持力を確保することができ、つまりこの例によれば十分な係止保持力でシールド端子５０をアウターハウジング３０に保持させることができる。
【００４９】
上述した高周波用コネクタ１００では開口部５１ｈからシールド端子５０にインナーハウジング６０を組み込んだ後、シールド端子５０のシールド性能を確保すべく、後板部５１ｅを折り曲げて開口部５１ｈを塞ぐ構造となっており、即ちインナーハウジング６０を組み込んだ後にシールド端子５０の開口部５１ｈを塞ぐ折り曲げ加工を必要とするものとなっているが、このような折り曲げ加工を必要としない構成について次に説明する。
【００５０】
図１０はこのような構成を有する高周波用コネクタ３００の外観を示したものであり、図１１はその断面構造を示したものである。高周波用コネクタ３００はアウターハウジング３０と電気接続子４０’とによって構成されている。図１２は別部品のリテーナ９０’を有するアウターハウジング３０の詳細を示したものであり、図１３〜１５は図４〜６と同様、電気接続子４０’の外観、断面構造及び各部に分解した状態をそれぞれ示したものである。また、図１６及び１７はシールド端子５０’の詳細及び展開形状をそれぞれ示したものである。これら図１０〜１７において、図１〜７，９と対応する部分には同一符号を付し、その詳細な説明を省略する。
【００５１】
まず、電気接続子４０’の構成について説明する。
【００５２】
電気接続子４０’は図１５に示したように、シールド端子５０’、インナーハウジング６０’、信号端子７０、スリーブ８０に加え、内部シェル３１０を備えて構成されている。図１６に示しているシールド端子５０’の、シールド端子５０との違いは、
１）後板部５１ｅ、突出片５５，５６がなく、開口部５１ｈは開口された状態となっていること
２）開口部５１ｈの延長片５７寄りに、延長片５７と隣接して一対の抜け止め片３０１がそれぞれ一対の側壁５１ｃから延長されて設けられ、一対の抜け止め片３０１は前板部５１ｄと同じ高さ位置の一板面をなすように互いに内向きに折り曲げられていること
３）前板部５１ｄの、延長片５７の下に位置する部分が削除され、前板部５１ｄと一対の抜け止め片３０１との間に窓３０２が形成されていること
４）一対の側壁５１ｃの後端における上端から係止片３０３がそれぞれ上方に突出されて形成され、一対の係止片３０３の先端は互いに外向きに折り曲げられていること
５）一対の側壁５１ｃの前端側に互いに外向きに突出する接触片３０４が設けられていること
である。
【００５３】
インナーハウジング６０’は基本的にインナーハウジング６０と同様、本体部６１と円柱部６２とよりなり、収容孔６３を有するものであるが、本体部６１の上面には１段低い段部６１ｂはなく、本体部６１の上面には前端から後方に向かってほぼ中央まで凹部６１ｃが形成されている。また、本体部６１の両側面の前端には凹部６１ａはなく、インナーハウジング６０の凹部６１ａの位置より下方に凹部６１ｄが形成されている。
【００５４】
内部シェル３１０はシールドとして機能するもので、導体の板金の折り曲げ加工によって形成されており、インナーハウジング６０’の本体部６１を囲む角筒状をなすものとされている。内部シェル３１０の上面には係止片３１１が切り起こされて形成され、両側面には一対の係止片３１２が互いに内向きに切り起こされて形成されている。さらに、両側面の前端には切欠き３１３がそれぞれ形成されている。
【００５５】
内部シェル３１０はインナーハウジング６０’の後方から嵌め込まれてインナーハウジング６０’の周りに取り付けられ、インナーハウジング６０’の本体部６１は内部シェル３１０内に収容される。内部シェル３１０の一対の係止片３１２はインナーハウジング６０’の凹部６１ｄに位置し、これにより内部シェル３１０は後方へ抜け止めされる。
【００５６】
インナーハウジング６０’を収容保持した内部シェル３１０はシールド端子５０’の開口部５１ｈからシールド端子５０’に挿入される。挿入された内部シェル３１０は切欠き３１３内の端面がシールド端子５０’の係止片５１ｆに突き当たることで、突き抜けが防止され、また係止片３１１が図１４に示したようにシールド端子５０’の窓３０２に位置することで抜け止めされてシールド端子５０’に収容保持される。これにより、シールド端子５０’において筒状部５１の側面の一部を欠除している開口部５１ｈは図１３及び１４に示したようにインナーハウジング６０’と筒状部５１との間に介在する内部シェル３１０によって塞がれた状態となり、つまりインナーハウジング６０’を組み込んだ後にシールド端子５０’の開口部５１ｈを塞ぐための折り曲げ加工を必要としないで良好なシールド性能を有する電気接続子４０’が完成する。
【００５７】
電気接続子４０’を収容保持するアウターハウジング３０は図１２に示したように前述した高周波用コネクタ１００のアウターハウジング３０と同じものであり、取り付け窓３５に押し込まれて取り付けられるリテーナ９０’の形状が高周波用コネクタ１００のリテーナ９０の形状と異なるものとなっている。リテーナ９０’の、収容室３３に臨む端面には図１２Ｄに示すように細い突起ではなく、幅広の一対の凸部９２が形成されている。
【００５８】
アウターハウジング３０に収容された電気接続子４０’はシールド端子５０’の延長片５７がランス３４によって係止（１次係止）されると共に、この例ではアウターハウジング３０に押し込まれたリテーナ９０’の一対の凸部９２がシールド端子５０’の一対の係止片３０３の後方に位置して係止片３０３と突き当たることで２次係止され、これにより電気接続子４０’はアウターハウジング３０に収容保持されるものとなっている。なお、シールド端子５０’に形成されている一対の接触片３０４は図１０に示したようにアウターハウジング３０の嵌合部３２の両側面に形成されているスリット３２ａに位置し、この例では、一対の接触片３０４が相手方のコネクタの外部シェルと接触、導通するものとなっている。
【００５９】
以上、この発明による高周波用コネクタについて説明したが、シールド端子は角筒状をなす筒状部を有するものに限らず、例えば円筒状をなす筒状部を有するものであってもよく、筒状部が円筒状をなす場合であっても十分な係止保持力を得るための延長片を形成することができる。なお、この発明の構成は同軸ケーブルに接続される高周波用コネクタに限らず、例えばシールドツイストペア線のケーブルに接続される高周波用コネクタにも適用することができる。
【符号の説明】
【００６０】
１１    電気接続子                        １２    内導体端子
１３    インナーハウジング                １４    シールドシェル
１５    シールドケース                    １５ａ    本体部
１５ｂ    接続片                          １５ｃ    開口部
１５ｄ    突部                            １６    シールドカバー
１６ａ    カバー部                        １６ｂ    折り曲げ片
１６ｃ    係合孔                          １６ｄ    シールド導体圧着片
１６ｅ    シース圧着片                    １７    被係止部
１８    アウターハウジング                １８ａ    フード部
１８ｂ    接続子収容部                    １８ｃ    シェル収容室
１８ｄ    開口部                          １８ｅ    電線保持板
１９    ランス                            １９ａ    係止部
２０    シールドツイストペア電線          ２１    シールド導体
３０    アウターハウジング                ３１    基部
３２    嵌合部                            ３２ａ    スリット
３３    収容室                            ３３ａ    後端側開口
３３ｂ    前端側開口                      ３４    ランス
３４ａ    段部                            ３５    取り付け窓
４０，４０’    電気接続子                ５０，５０’    シールド端子
５１    筒状部                            ５１ａ    上壁
５１ｂ    底壁                            ５１ｃ    側壁
５１ｄ    前板部                          ５１ｅ    後板部
５１ｆ    係止片                          ５１ｇ    切欠き
５１ｈ    開口部                          ５２    接触片
５３    接続片                            ５４    延長部
５５，５６    突出片                      ５７    延長片
５７ａ    横断部                          ５８    傾斜片
５９    隙間                              ６０，６０’    インナーハウジング
６１    本体部                            ６１ａ    凹部
６１ｂ    段部                            ６１ｃ，６１ｄ    凹部
６２    円柱部                            ６３    収容孔
７０    信号端子                          ７１    かしめ部
７２    抜け止め部                        ８０    スリーブ
９０，９０’    リテーナ                  ９１    突起
９２    凸部                              １００    高周波用コネクタ
２００    同軸ケーブル                    ２０１    中心導体
２０２    外部導体                        ２０３    シース
２０４    絶縁体                          ３００    高周波用コネクタ
３０１    抜け止め片                      ３０２    窓
３０３    係止片                          ３０４    接触片
３１０    内部シェル                      ３１１，３１２    係止片
３１３    切欠き
【図１】
2019106278.tif 000003
【図２】
2019106278.tif 000004
【図３】
2019106278.tif 000005
【図４】
2019106278.tif 000006
【図５】
2019106278.tif 000007
【図６】
2019106278.tif 000008
【図７】
2019106278.tif 000009
【図８】
2019106278.tif 000010
【図９】
2019106278.tif 000011
【図１０】
2019106278.tif 000012
【図１１】
2019106278.tif 000013
【図１２】
2019106278.tif 000014
【図１３】
2019106278.tif 000015
【図１４】
2019106278.tif 000016
【図１５】
2019106278.tif 000017
【図１６】
2019106278.tif 000018
【図１７】
2019106278.tif 000019
【図１８】
2019106278.tif 000020
【図１９】
2019106278.tif 000021
【図２０】
2019106278.tif 000022
【図２１】
2019106278.tif 000023